(57)【要約】【課題】枠材に撓みが発生することを抑制して面材と枠材との間のがたつきを低減させるとともに、枠材に対する面材の密着性を向上させることが可能となる、面材保持機構を提供する。【解決手段】戸先側枠材７１には、板ガラス７５と対向する面に長手方向に沿って溝７１ｇが形成され、パッキン８１は、溝７１ｇの底面に当接する底部８１ａと底部８１ａに直交する両側部８１ｂ・８１ｂとにより、断面視略コ字状に構成されるとともに底部８１ａの側が戸先側枠材７１の溝７１ｇに挿入され、板ガラス７５は、外周辺がパッキン８１の両側部８１ｂ・８１ｂの間に挿入されることにより戸先側枠材７１に嵌め合わされ、パッキン８１には底部８１ａを貫通する開口部８１ｃが形成され、板ガラス７５において底部８１ａと対向する外周面７５ａと溝７１ｇの底面７１ａとの間には、開口部８１ｃを通じて粘性素材Ｖが介挿される。【選択図】図２
2019143319.tif 000002
【特許請求の範囲】
【請求項１】
一組又は二組の互いに対向する枠材と、
それぞれの前記枠材に設けられるパッキンと、
前記パッキンを介して前記枠材に外周辺を保持される矩形の面材と、を備える面材保持機構であって、
それぞれの前記枠材には、前記面材と対向する面に、前記枠材の長手方向に沿って溝が形成され、
前記パッキンは、前記溝の底面に当接する底部と、該底部に略直交する両側部とにより、断面視略コ字状に構成されるとともに、前記底部の側が前記枠材の溝に挿入され、
前記面材は、外周辺が前記パッキンの両側部の間に挿入されることにより、前記枠材に嵌め合わされ、
少なくとも一つの前記パッキンには、前記底部を貫通する開口部が形成され、
前記面材において前記底部と対向する外周面と、前記溝の底面と、の間には、前記開口部を通じて粘性素材が介挿される、面材保持機構。
【請求項２】
前記枠材の溝の内周面における前記パッキンの前記開口部と対向する箇所には、前記底面の近傍に逃がし溝が形成される、請求項１に記載の面材保持機構。
【請求項３】
前記逃がし溝は、前記溝の側面に形成される、請求項２に記載の面材保持機構。
【請求項４】
前記枠材の溝の底面には、前記パッキンの前記底部と当接する突条部が長手方向に沿って形成され、
前記パッキンの前記開口部は、前記パッキンが前記溝に挿入された際に前記突条部を跨ぐ位置に開口される、請求項１から請求項３の何れか１項に記載の面材保持機構。
【請求項５】
二組の互いに対向する前記枠材を備え、
前記二組の枠材は、前記面材の長手方向に沿って設けられる第一の組である二本の長枠材と、前記面材の短手方向に沿って設けられる第二の組である二本の短枠材と、で構成され、
少なくとも二本の前記長枠材に設けられる前記パッキンには前記開口部が形成され、
前記粘性素材は、前記長枠材の前記溝の底面と、前記面材の前記外周面と、の間に介挿される、請求項１から請求項４の何れか１項に記載の面材保持機構。
【発明の詳細な説明】
【技術分野】
【０００１】
本発明は面材保持機構に関し、詳細にはガラス板等の面材をドア枠等の枠材で保持する機構に関するものである。
【背景技術】
【０００２】
従来、ガラス板等の面材を、枠材の内周面でパッキンを介して保持する面材保持機構が知られている（例えば、特許文献１を参照）。特許文献１には、取付け枠に凹設された溝部に、パッキンを介して面板を嵌合する構造が記載されている。また、特許文献１には、溝部の内奥部に接着剤を塗布し、接着剤が塗布された溝部にパッキンを装着した面板を嵌入することにより、確実にパッキンを溝部に接着させる技術が記載されている。
【先行技術文献】
【特許文献】
【０００３】
【特許文献１】特開２０１０−２５５２６４号公報
【発明の概要】
【発明が解決しようとする課題】
【０００４】
上記の如く構成した面材保持機構において、パッキンが枠材の溝部に接着されるものの、面板は枠材に接着していない。このため、作業者が枠材を掴んで面材保持機構を移動させようとした際に、枠材に撓みが発生して枠材（パッキン）と面材とが離間し、枠材（パッキン）と面材との間でがたつきが生じる場合があった。また、面材の板厚寸法誤差により、枠材に対する密着性が不十分になることがあった。
【０００５】
本発明は以上の如き状況に鑑みてなされたものであり、本発明が解決しようとする課題は、枠材に撓みが発生することを抑制して面材と枠材との間のがたつきを低減させるとともに、枠材に対する面材の密着性を向上させることが可能となる、面材保持機構を提供することである。
【課題を解決するための手段】
【０００６】
本発明は、上記課題を解決するために、以下に構成する面材保持機構を提供する。
【０００７】
（１）
一組又は二組の互いに対向する枠材と、それぞれの前記枠材に設けられるパッキンと、前記パッキンを介して前記枠材に外周辺を保持される矩形の面材と、を備える面材保持機構であって、それぞれの前記枠材には、前記面材と対向する面に、前記枠材の長手方向に沿って溝が形成され、前記パッキンは、前記溝の底面に当接する底部と、該底部に直交する両側部とにより、断面視略コ字状に構成されるとともに、前記底部の側が前記枠材の溝に挿入され、前記面材は、外周辺が前記パッキンの両側部の間に挿入されることにより、前記枠材に嵌め合わされ、少なくとも一つの前記パッキンには、前記底部を貫通する開口部が形成され、前記面材において前記底部と対向する外周面と、前記溝の底面と、の間には、前記開口部を通じて粘性素材が介挿される、面材保持機構。
【０００８】
（２）
前記枠材の溝の内周面における前記パッキンの前記開口部と対向する箇所には、前記底面の近傍に逃がし溝が形成される、（１）記載の面材保持機構。
【０００９】
（３）
前記逃がし溝は、前記溝の側面に形成される、（２）記載の面材保持機構。
【００１０】
（４）
前記枠材の溝の底面には、前記パッキンの前記底部と当接する突条部が長手方向に沿って形成され、前記パッキンの前記開口部は、前記パッキンが前記溝に挿入された際に前記突条部を跨ぐ位置に開口される、（１）から（３）の何れか一に記載の面材保持機構。
【００１１】
（５）
二組の互いに対向する前記枠材を備え、前記二組の枠材は、前記面材の長手方向に沿って設けられる第一の組である二本の長枠材と、前記面材の短手方向に沿って設けられる第二の組である二本の短枠材と、で構成され、少なくとも二本の前記長枠材に設けられる前記パッキンには前記開口部が形成され、前記粘性素材は、前記長枠材の前記溝の底面と、前記面材の前記外周面と、の間に介挿される、（１）から（４）の何れか一に記載の面材保持機構。
【発明の効果】
【００１２】
以上における本発明に係る面材保持機構は、以下に示す効果を奏する。
【００１３】
（１）の構成によれば、枠材に撓みが発生することを抑制して面材と枠材との間のがたつきを低減させるとともに、枠材に対する面材の密着性を向上させることができる。
【００１４】
（２）の構成によれば、余分な粘性素材を逃がし溝に流入させることにより、粘性素材が溝の外部に流出することを防止できる。
【００１５】
（３）の構成によれば、枠材の厚さをコンパクトにすることができる。
【００１６】
（４）の構成によれば、枠材に対する面材の密着性をより向上させることができる。
【００１７】
（５）の構成によれば、枠材に対する面材の密着性を確保しつつ、面材保持機構の組付け時の作業効率を向上させることができる。
【図面の簡単な説明】
【００１８】
【図１】一実施形態に係る面材保持機構を示す正面図。
【図２】図１におけるＸ−Ｘ線断面図。
【図３】図１におけるＹ−Ｙ線断面図。
【図４】枠材とパッキンとの関係を示した斜視図。
【図５】（ａ）から（ｃ）は枠材に対して面材を組付ける工程を示した断面図。
【発明を実施するための形態】
【００１９】
以下では図１から図５を用いて、本発明の一実施形態に係る面材保持機構であるドア７について説明する。ドア７はドア機構１０に設けられる開き戸である。図１から図３中に示す矢印はドア機構１０の方向を示している。なお、本発明に係る面材保持機構は適用対象をドアに限定するものではなく、壁、間仕切り、窓等、面材が固定される構成であれば本発明に係る面材保持機構を適用することが可能である。
【００２０】
図１から図３に示す如く、ドア機構１０は床面Ｆと天井Ｃとの間に設けられ、地レール１、天レール２、支柱３、戸尻枠４、戸先枠５、上枠６、ドア７等を主な構成要素として備える。ドア機構１０を構成する各要素は、ドア７に備えられる板ガラス７５及びパッキン８１を除いて、主に軽量のアルミ合金で形成されている。以下、各構成要素について順に説明する。
【００２１】
ドア機構１０は、床面Ｆに固定した地レール１と、天井Ｃに固定具Ｂを介して固定した天レール２と、の間に、所定間隔で支柱３・３・・を立設して設けられる。詳細には、地レール１に所定長さの間隙を作り、その間隙の両側に支柱３・３を配置するのである。図２に示す如く、左側の支柱３の右側面には固定ねじにより戸尻枠４が固定され、右側の支柱３の左側面には固定ねじにより戸先枠５が固定される。戸尻枠４及び戸先枠５の上端部には、互いを連結する上枠６が固定されている。
【００２２】
図２に示す如く、戸先枠５の後部には戸先側戸当り５ａが左側方に向けて突出して形成されている。戸先側戸当り５ａの前面には緩衝材５ｂが設置されている。また、上枠６の後部には上側戸当り６ａが下方に向けて突出して形成されている。上側戸当り６ａの前面には緩衝材６ｂが設置されている。
【００２３】
ドア７はヒンジ８ａ・８ｂを介して、戸尻枠４及び上枠６に回動可能に組付けられている。具体的には、ドア７の戸尻側上端部がヒンジ８ａによって上枠６の左側端部に連結されている。また、ドア７の戸尻側下端部がヒンジ８ｂによって戸尻枠４の下端部に連結されている。図１から図３に示す閉塞状態からドア７が前方に回動することにより、戸尻枠４、戸先枠５、及び、上枠６で囲まれた空間が開放される。
【００２４】
ドア７は、戸先側枠材７１、戸尻側枠材７２、上側枠材７３、及び、下側枠材７４の四本の枠材に、矩形の面材である板ガラス７５が外周辺を保持されて構成されている。ドア７の戸先側における上下方向中央部のやや下側には、ドア７を開閉する際に用いるドアノブ７６が設けられている。
【００２５】
戸先側枠材７１及び戸尻側枠材７２は、板ガラス７５の長手方向に沿って設けられる第一の組を構成する二本の長枠材である。また、上側枠材７３及び下側枠材７４は、板ガラス７５の短手方向に沿って設けられる第二の組を構成する二本の短枠材である。即ち、ドア７は、二組の互いに対向する枠材（戸先側枠材７１と戸尻側枠材７２、及び、上側枠材７３と下側枠材７４）を備えているのである。
【００２６】
なお、本実施形態に係るドア７では、面材として板ガラス７５を用いているが、木製合板、アクリル板等、面材として他の素材を適用することも可能である。また、面材である板ガラス７５の保持方法として、戸先側枠材７１及び戸尻側枠材７２の長枠材のみで保持する構成や、上側枠材７３及び下側枠材７４の短枠材のみで保持する構成を採用することも可能である。
【００２７】
板ガラス７５は、戸先側枠材７１、戸尻側枠材７２、上側枠材７３、及び、下側枠材７４のそれぞれに設けられるパッキン８１を介して保持されている。具体的には図２及び図３に示す如く、それぞれの枠材７１〜７４には、内周面となる面に、枠材７１〜７４の長手方向に沿って溝７１ｇ〜７４ｇが形成されている。本実施形態においては、各溝７１ｇ〜７４ｇはほぼ同形状に形成されているため、図４及び図５を用いて戸先側枠材７１に形成された溝７１ｇの形状を説明することにより、他の溝７２ｇ〜７４ｇについては詳細な説明を省略する。
【００２８】
図４に示す如く、溝７１ｇは戸先側枠材７１の短手方向の中央部分に形成されている。溝７１ｇは底面７１ａと、底面７１ａに対して略直交する両側面７１ｂ・７１ｂと、で内周面が構成されている。また、溝７１ｇの底面７１ａには、溝７１ｇが開口する方向に突出する突条部７１ｃが長手方向に沿って形成されている。溝７１ｇの側面７１ｂ・７１ｂにおける底面７１ａの近傍には、側面７１ｂと直交する方向に逃がし溝７１ｄが形成されている。さらに、側面７１ｂ・７１ｂの中途部には、互いの側に突出する係合突起７１ｅ・７１ｅが形成されている。
【００２９】
図４に示す如く、パッキン８１は底部８１ａと、底部８１ａに略直交する両側部８１ｂ・８１ｂとにより断面視で略コ字状に構成されている。そして、パッキン８１における底部８１ａの側が、図４及び図５（ａ）中の矢印Ａ１に示す如く、戸先側の溝７１ｇに挿入される。これにより、パッキン８１の底部８１ａと溝７１ｇの底面７１ａ（詳細には、底面７１ａに形成された突条部７１ｃ）とが当接する。本実施形態におけるパッキン８１は樹脂製のものが使用されているが、パッキン８１として鉄製やアルミ製等、他の素材を用いることも可能である。
【００３０】
図４に示す如く、戸先側枠材７１の溝７１ｇに挿入されるパッキン８１には、底部８１ａを貫通する複数個の円形孔である開口部８１ｃが所定間隔ごとに形成されている。また、パッキン８１の側部８１ｂ・８１ｂには、外側に突出する係合突起８１ｄ・８１ｄが形成されている。パッキン８１が戸先側枠材７１の溝７１ｇに挿入された際には図５（ｂ）に示す如く、係合突起８１ｄ・８１ｄが溝７１ｇの係合突起７１ｅ・７１ｅと係合することにより、パッキン８１が溝７１ｇの内部に固定される。
【００３１】
溝７１ｇに固定されたパッキン８１に対して、板ガラス７５が挿入される。具体的には図５（ｂ）中の矢印Ａ２に示す如く、板ガラス７５の外周面７５ａとパッキン８１の底部８１ａとが対向する状態で、板ガラス７５の外周辺がパッキン８１の両側部８１ｂ・８１ｂの間に挿入されることにより、板ガラス７５が戸先側枠材７１に嵌め合わされるのである。
【００３２】
本実施形態に係るドア７において、板ガラス７５の外周面７５ａと、溝７１ｇの底面７１ａと、の間には、パッキン８１の開口部８１ｃを通じて粘性素材Ｖが介挿されている。具体的には図５（ｂ）に示す如く、板ガラス７５をパッキン８１に挿入する前段階において、粘性素材Ｖを開口部８１ｃから注入し、パッキン８１の底部８１ａと溝７１ｇの底面７１ａとの間に充填しておくのである。
【００３３】
本実施形態に係るドア７においては、板ガラス７５をパッキン８１に挿入した際に、図５（ｃ）に示す如く、板ガラス７５の外周面７５ａと溝７１ｇの底面７１ａとを粘性素材Ｖを介して接着させることができる。換言すれば、板ガラス７５と戸先側枠材７１とを粘性素材Ｖで接着することができる。本実施形態において、粘性素材Ｖにはコーキング剤が採用されている。なお、一定の粘度を有する素材であれば、粘性素材Ｖとしてコーキング剤の他に接着剤等を採用することも可能である。
【００３４】
上記の如く、本実施形態に係るドア７において、戸先側枠材７１と板ガラス７５とを粘性素材Ｖで互いに接着させている。これにより、作業者が戸先側枠材７１を掴んだ場合でも戸先側枠材７１が板ガラス７５から離間しにくくなり、戸先側枠材７１に撓みが発生することを抑制できる。このため、板ガラス７５と戸先側枠材７１との間のがたつきを低減させるとともに、戸先側枠材７１に対する板ガラス７５の密着性を向上させることができるのである。
【００３５】
本実施形態においては図２に示す如く、長枠材である戸先側枠材７１及び戸尻側枠材７２に設けられるパッキン８１に開口部８１ｃを形成し、粘性素材Ｖを長枠材の溝７１ｇ・７２ｇの底面と、板ガラス７５の外周面７５ａと、の間に介挿している。これにより、曲げモーメントが大きくなりやすい長枠材において、撓みの発生を抑制する構成としている。なお、戸尻側枠材７２において板ガラス７５を保持する構成は戸先側枠材７１と同様であるため、詳細な説明は省略する。
【００３６】
また、本実施形態においては図３に示す如く、曲げモーメントが大きくなりにくい短枠材である上側枠材７３及び下側枠材７４に設けられるパッキン８１には粘性素材Ｖを介挿していない。これにより、全ての枠材とパッキン８１との間に粘性素材Ｖを介挿する構成と比較して、ドア７の組付け工程を簡素化できるため、ドア７の組付け時の作業効率を向上させることができる。
【００３７】
なお、長枠材と短枠材との全てに設けられるパッキン８１に開口部８１ｃを形成し、粘性素材Ｖを溝７１ｇ〜７４ｇの底面とパッキン８１の底部８１ａとの間に介挿する構成とすることも可能である。また、短枠材に設けられるパッキン８１のみに開口部８１ｃを形成し、粘性素材Ｖを溝７３ｇ・７４ｇの底面とパッキン８１の底部８１ａとの間に介挿する構成とすることも可能である。また、開口部８１ｃはパッキン８１の底部８１ａにおいて内面側と外面側とを連通する構成であれば良く、本実施形態の如く円形孔に限定されない。即ち、開口部８１ｃを角形の孔や、側部８１ｂまで連続する切り欠き部として形成することも可能である。
【００３８】
また、本実施形態において、戸先側枠材７１の溝７１ｇの内周面において、パッキン８１の開口部８１ｃと対向する箇所には、底面７１ａの近傍に逃がし溝７１ｄ・７１ｄが形成されている。これにより、粘性素材Ｖを開口部８１ｃから注入した際に、図５（ｂ）に示す如く余分な粘性素材Ｖが逃がし溝７１ｄ・７１ｄに流入する。これにより、余分な粘性素材Ｖが溝の外部に流出することを防止している。
【００３９】
また、本実施形態において、逃がし溝７１ｄ・７１ｄは、溝７１ｇの側面７１ｂに、側面７１ｂと直交する方向に形成されている。これにより、逃がし溝７１ｄ・７１ｄを底面７１ａに形成する構成と比較して、戸先側枠材７１の厚さをコンパクトにすることができる。
【００４０】
また、本実施形態において、戸先側枠材７１の溝７１ｇの底面７１ａには突条部７１ｃが長手方向に沿って形成されている。そして、パッキン８１の開口部８１ｃは図４及び図５に示す如く、パッキン８１が溝７１ｇに挿入された際に突条部７１ｃを跨ぐ位置に開口されている。これにより、粘性素材Ｖを開口部８１ｃから注入した際に、突条部７１ｃの両側に粘性素材Ｖを充填させることができる。即ち、板ガラス７５の外周面７５ａと溝７１の底面７１ａとが粘性素材Ｖにより接着される面積を確保することができるため、戸先側枠材７１に対する板ガラス７５の密着性をより向上させることができる。
【符号の説明】
【００４１】
１        地レール                 ２        天レール       
３        支柱                     ４        戸尻枠         
５        戸先枠                   ５ａ      戸先側戸当り   
５ｂ      緩衝材                   ６        上枠           
６ａ      上側戸当り               ６ｂ      緩衝材         
７        ドア（面材保持機構）    ８ａ      ヒンジ          
８ｂ      ヒンジ                 １０        ドア機構       
７１        戸先側枠材             ７１ａ      底面           
７１ｂ      側面                   ７１ｃ      突条部         
７１ｄ      逃がし溝               ７１ｅ      係合突起       
７１ｇ      溝                     ７２        戸尻側枠材     
７２ｇ      溝                     ７３        上側枠材       
７３ｇ      溝                     ７４        下側枠材       
７４ｇ      溝                     ７５        板ガラス（面材）
７５ａ      外周面                 ７６        ドアノブ       
８１        パッキン               ８１ａ      底部           
８１ｂ      側部                   ８１ｃ      開口部         
８１ｄ      係合突起                 Ａ１      矢印           
Ａ２      矢印                     Ｂ        固定具         
Ｃ        天井                     Ｆ        床面           
Ｖ        コーキング材（粘性素材）
【図１】
2019143319.tif 000003
【図２】
2019143319.tif 000004
【図３】
2019143319.tif 000005
【図４】
2019143319.tif 000006
【図５】
2019143319.tif 000007